(57)【要約】【課題】簡単に組み立てが可能で、なおかつディスプレイデバイスの薄型化を生かした良好な形状とすることができる表示装置を提供する。【解決手段】薄板状のディスプレイデバイス１２０と、ディスプレイデバイスの表示面の周囲及び端面を覆うフロントカバー１１０と、ディスプレイデバイスの背面を覆うように取付けられ複数に分割された背面側カバー１５０〜１８０とを備えた表示装置として構成する。ディスプレイデバイスの端面と対向するフロントカバーの複数個所に凸部１１４を設け、フロントカバー側の凸部１１４と対向した位置の背面側カバー１５０，１６０に、その対向した凸部と嵌合する凹部を設ける。背面側カバー１５０，１６０をディスプレイデバイス１２０の背面に沿って平行移動可能とし、その平行移動により、フロントカバーの凸部と背面側カバーの凹部とが嵌合して、ディスプレイデバイス側にフロントカバーが固定される構成とする。【選択図】図８
2008216347.tif 000002
【特許請求の範囲】
【請求項１】
一方の面に画像を表示する表示面が形成され、他方の面が背面とされた薄板状のディスプレイデバイスと、
前記ディスプレイデバイスの表示面の周囲及び端面を覆うフロントカバーと、
前記ディスプレイデバイスの背面を覆うように取付けられ、複数に分割された背面側カバーとを備えた表示装置であって、
前記ディスプレイデバイスの端面と対向する前記フロントカバーの複数個所に凸部又は凹部を設け、
前記フロントカバー側の凸部又は凹部と対向した位置の前記背面側カバーに、その対向した凸部又は凹部と嵌合する凹部又は凸部を設け、
前記背面側カバーを、前記ディスプレイデバイスの背面に沿って平行移動可能として、その平行移動により前記嵌合を行うスライド機構部を有することを特徴とする
表示装置。
【請求項２】
請求項１記載の表示装置において、
前記ディスプレイデバイスに接続された回路基板を備え、
前記背面側カバーは、前記ディスプレイデバイスの背面に配置された前記回路基板を覆う状態で、前記ディスプレイデバイスの背面に固定され、
前記複数の背面側カバーの背面に、さらに別のカバーが固定されることを特徴とする
表示装置。
【請求項３】
請求項１記載の表示装置において、
前記スライド機構部は、前記ディスプレイデバイスを保持する部材と、前記背面側カバーとを、前記平行移動させる方向に沿って延長された形状で前記背面側カバーに設けたネジ孔への、ネジ止めで行う機構とし、
前記ネジ孔の延長された形状に沿って前記背面側カバーを平行移動させることで、前記背面側カバーの凹部又は凸部が、前記フロントカバーの凸部又は凹部と嵌合して、前記フロントカバーが前記ディスプレイデバイス側に固定されることを特徴とする
表示装置。
【請求項４】
請求項１記載の表示装置において、
前記ディスプレイデバイスの平行する２つの辺に近接した、前記フロントカバーの２つの辺に前記凸部又は凹部を設け、
前記フロントカバーの２つの辺と対向する、前記背面側カバーに凹部又は凸部を設けたことを特徴とする
表示装置。
【発明の詳細な説明】
【技術分野】
【０００１】
本発明は、例えば有機ＥＬディスプレイ（electroluminescence display）などの薄型のディスプレイデバイスを使用した表示装置に関し、特に、表示装置として組み立てられる筐体の構成に関する。
【背景技術】
【０００２】
有機ＥＬディスプレイ、プラズマディスプレイや液晶ディスプレイなどの薄板状のディスプレイデバイスを有する表示装置として、ディスプレイデバイスの表示面を覆うフロントカバーと、表示面の反対側を覆うリアカバーとを備えたものがある（特許文献１参照）。
このような表示装置では、フロントカバーに例えば矩形状の窓（開口）を設けておき、この窓の内側からディスプレイデバイスの表示面を前方に露出させている。
【特許文献１】特開平５−１０３２８４号公報
【発明の開示】
【発明が解決しようとする課題】
【０００３】
このような薄型の表示装置では、薄板状のディスプレイデバイスを、そのディスプレイデバイスを収納する筐体に収納させるための構成として、ディスプレイデバイスの薄型形状を生かした良好な筐体形状とするのが困難であった。即ち、例えばビスを使用してフロントカバーをディスプレイデバイス側に固定させるようにすると、デザイン性が損なわれる問題があった。ビスを使用しないでディスプレイデバイス側に固定させる形状を考えた場合、フロントカバー側やディスプレイデバイス側に比較的複雑な機構を必要とし、またその機構のためにフロントカバーなどの厚みが増すことが想定され、表示装置の薄型化の阻害要因になってしまう。
【０００４】
特に、近年、有機ＥＬディスプレイと称される、非常に薄型のディスプレイデバイスが開発され、実用化されつつあるが、従来からある表示装置の筐体構造は、このようなディスプレイデバイスの薄型を生かした筐体形状とはいえない。プラズマディスプレイや液晶ディスプレイを使用した従来の薄型ディスプレイを使用した表示装置の場合には、薄型とは言っても筐体の厚さが数センチ程度あるのが一般的であり、フロントカバーなどにそれなりの厚みがあっても、それほど問題になることはない。
【０００５】
これに対して、有機ＥＬディスプレイの場合には、ガラスなどの薄板上に発光ダイオードなどで構成される発光素子をマトリクス状に配置して、自らが発光するディスプレイとして構成させるものであり、ディスプレイデバイスの厚さが数ミリ程度であり、従来から薄型のディスプレイとして実用化されているプラズマディスプレイや液晶ディスプレイに比べて、さらに進んだ薄型化が可能である。しかしながら、従来構成の筐体をそのまま適用すると、ディスプレイデバイスの薄さを生かした表示装置の薄型化が困難である。
【０００６】
また、ディスプレイデバイスを筐体に取り付ける組立作業を行う際には、その組立作業性を考えた筐体構成にして、低コストで組み立てができるようにする必要があるが、ガラスなどの薄板だけで構成されるディスプレイデバイスを簡単に組み立てできるようにするのには、何らかの工夫が必要であった。
【０００７】
本発明は、このような事情に鑑みなされたもので、簡単に組み立てが可能で、なおかつディスプレイデバイスの薄型化を生かした良好な形態とすることができる表示装置を提供することを目的とする。
【課題を解決するための手段】
【０００８】
上記目的を達成するために本発明は、一方の面に画像を表示する表示面が形成され、他方の面が背面とされた薄板状のディスプレイデバイスと、ディスプレイデバイスの表示面の周囲及び端面を覆うフロントカバーと、ディスプレイデバイスの背面を覆うように取付けられ、複数に分割された背面側カバーとを備えた表示装置として構成する。
そして、ディスプレイデバイスの端面と対向するフロントカバーの複数個所に凸部又は凹部を設ける。また、フロントカバー側の凸部又は凹部と対向した位置の背面側カバーに、その対向した凸部又は凹部と嵌合する凹部又は凸部を設ける。
さらに、背面側カバーを、ディスプレイデバイスの背面に沿って平行移動可能として、その平行移動により、フロントカバーの凸部又は凹部と、背面側カバーの凹部又は凸部とが嵌合して、ディスプレイデバイス側にフロントカバーが固定されるスライド機構部を設ける構成とする。
【０００９】
このようにしたことで、ディスプレイデバイスの背面に、複数に分割された背面側カバーを取り付けた状態とした上で、その背面側カバーが取り付けられたディスプレイデバイスに、フロントカバーを取り付ける。そして、複数に分割された背面側カバーの内の一部をディスプレイデバイスの背面に沿って平行移動させることで、ディスプレイデバイスに、フロントカバーが固定される。
【発明の効果】
【００１０】
本発明によれば、複数に分割された背面側カバーの内の一部をディスプレイデバイスの背面に沿って平行移動させることで、ディスプレイデバイスに、フロントカバーが固定されるので、簡単な組み立て作業でフロントカバーを薄型のディスプレイデバイスに取り付けることができる。また、フロントカバーがディスプレイデバイス側に固定される機構である凸部や凹部は、ディスプレイデバイスの端面側に設けられ、背面側カバーのスライド方向についてもディスプレイデバイスの面方向であるので、これらの機構を設けることで表示装置の筐体の厚さが増すことはなく、ディスプレイデバイスの薄型を生かした良好な筐体形状とすることができる。さらに、スライドさせる部材は背面側のカバーであり、凸部や凹部についても表面側からフロントカバーで隠れるので、表示装置を表面から見た場合に、これらのスライド機構や凸部などが見えることがなく、表示装置としてデザイン性が損なわれることがない。
【発明を実施するための最良の形態】
【００１１】
以下、本発明の一実施の形態の例を、添付図面を参照して説明する。
本実施の形態の例においては、有機ＥＬディスプレイ（electroluminescence display）で構成される薄型のディスプレイデバイスを使用した、テレビジョン受像機としての表示装置に適用したものである。有機ＥＬディスプレイは、薄板状の基板に、マトリクス状に発光素子を配置して構成されるディスプレイデバイスである。本例のディスプレイデバイスは、ガラス基板上に発光素子を配置して構成したものを使用してある。
【００１２】
本実施の形態の例による表示装置１００は、例えば図９に示すように、フロントカバー１１０の窓部１１１から、ディスプレイデバイスの表面１２１が露出した状態としてあり、その露出した表面１２１が、画像の表示面となっている。
【００１３】
図１は、本実施の形態の例による表示装置１００を分解して示す図である。図１では、下側が、画像が表示される表面側となり、上側が、画像が表示される面とは反対側の背面側となる。以下の説明で表面や背面と述べた場合には、表示装置としての表面や背面を指す。
表面側から順に説明すると、フロントカバー１１０は、例えば金属板金のプレス加工などで形成してあり、ディスプレイデバイス１２０の表面１２１の周囲を覆う窓部１１１が形成してあり、さらにディスプレイデバイス１２０の端面を覆うように、側面部１１３が窓部１１１の全周にわたって形成してある。側面部１１３の内側には、左右の側面の上下２箇所（合計４箇所）に、取り付け金具１１４を固定させてある。この取り付け金具１１４は、先端が所定幅で内側に突出した凸部１１４ａ（図７）となった突起部材である。
【００１４】
ディスプレイデバイス１２０は、ガラス基板上に構成させてあり、表面１２１が映像の表示面である。図１では背面１２２が見えた状態である。ディスプレイデバイス１２０の左右の端面１２０ａ，１２０ｂと上下の端面１２０ｃ，１２０ｄには、それぞれフレキシブル基板１２３ａ，１２３ｂ，１２３ｃ，１２３ｄの一端が取り付けてある。各フレキシブル基板１２３ａ，１２３ｂ，１２３ｃ，１２３ｄの他端には、リジット基板１２４ａ，１２４ｂ，１２４ｃ，１２４ｄが取り付けてある。リジット基板１２４ａ，１２４ｂ，１２４ｃ，１２４ｄが、図示しない表示装置の回路基板に接続される。このように接続してあることで、映像信号を処理する回路基板側から出力されたディスプレイの駆動信号がディスプレイデバイス１２０に供給されて、ディスプレイデバイス１２０で映像が表示される。
４つの端面１２０ａ，１２０，１２０ｃ，１２０ｄから伸びたフレキシブル基板１２３ａ，１２３ｂ，１２３ｃ，１２３ｄは、表示装置として組み立てられる際には、後述する熱伝導シート１３０と補強プレート１４０とを挟んだ上で、ディスプレイデバイス１２０の背面１２２側に折り返した状態に配置される。
【００１５】
ディスプレイデバイス１２０の背面１２２には、熱伝導シート１３０が配置される。熱伝導シートは、ディスプレイデバイス１２０の発熱を周囲に逃がすためのシートである。
【００１６】
熱伝導シート１３０の背面側には、補強プレート１４０を配置する。補強プレート１４０は、ディスプレイデバイス１２０とほぼ同等のサイズの金属プレートであり、中央部に開口部１４１を有する。補強プレート１４０の周囲には、複数のネジ孔が設けてあり、そのネジ孔へのネジ止めで、次に説明する基板カバー１５０〜１８０が固定される。中央部の開口部１４１には、映像表示処理などを行う回路が構成された回路基板などが配置される。
【００１７】
補強プレート１４０の背面側には、基板カバー１５０〜１８０が取付けられる。本例の基板カバーは、４つの基板カバー１５０，１６０，１７０，１８０で構成される。基板カバー１５０は、ディスプレイデバイス１２０の左端の端面１２０ａから背面を覆うように取付けられる。基板カバー１６０は、ディスプレイデバイス１２０の右端の端面１２０ｂから背面を覆うように取付けられる。基板カバー１７０は、ディスプレイデバイス１２０の上端の端面１２０ｃから背面を覆うように取付けられる。基板カバー１８０は、ディスプレイデバイス１２０の下端の端面１２０ｄから背面を覆うように取付けられる。各基板カバーが他の基板カバーと接する箇所は、約４５°の角度で斜めにカットした形状としてある。各基板カバーは、上述したフレキシブル基板１２３ａ〜１２３ｄとリジット基板１２４ａ〜１２４ｄを覆うカバーとして機能するものである。
【００１８】
左右の基板カバー１５０，１６０には、フロントカバー１１０側の取り付け金具１１４に嵌合するための固定機構が構成させてある。その固定機構の詳細については後述する。
【００１９】
そして、４つの基板カバー１５０，１６０，１７０，１８０がディスプレイデバイス１２０側に取り付けられた状態で、背面側にリアカバー１９０を固定する。リアカバー１９０は、表示装置１００の背面全体を覆う形状の部材で、例えば金属板で構成する。
【００２０】
次に、各部材を組み立てて、図９に示した表示装置として完成させるための手順について説明する。
まず、図２を参照して、ディスプレイデバイス１２０に直接取付けられる部材について説明する。発光素子や配線用の電極などが配置されたガラス板で構成されるディスプレイデバイス１２０は、図２に示すように４つの端面にそれぞれ別にフレキシブル基板１２３ａ，１２３ｂ，１２３ｃ，１２３ｄとリジット基板１２４ａ，１２４ｂ，１２４ｃ，１２４ｄとが取付けられて、四方に広がった状態となっている。このディスプレイデバイス１２０の背面１２２を上にして、熱伝導シート１３０と補強プレート１４０とを重ねた状態とした後に、各フレキシブル基板１２３ａ，１２３ｂ，１２３ｃ，１２３ｄを背面側に折り曲げる。
【００２１】
このように各フレキシブル基板１２３ａ，１２３ｂ，１２３ｃ，１２３ｄを背面側に折り曲げることで、図３に示すように、ディスプレイデバイス１２０と熱伝導シート１３０と補強プレート１４０とが一体となった状態となる。ディスプレイデバイス１２０と熱伝導シート１３０との固定、及び熱伝導シート１３０と補強プレート１４０との固定については、例えば粘着剤を使用する。この粘着剤を使用した固定状態は、両面粘着テープ（両面粘着シート）を使用して固定する。或いは、熱伝導シート１３０そのものを、粘着性を有するシートとして、その熱伝導シート１３０が持つ粘着性で、熱伝導シート１３０を間に挟んだ状態で、ディスプレイデバイス１２０と補強プレート１４０とを貼りあわせる。なお、図２に示した状態では、ディスプレイデバイス１２０と熱伝導シート１３０と補強プレート１４０とは、ほぼ同じサイズとしてあるが、例えば熱伝導シート１３０をディスプレイデバイス１２０よりも若干小さい形状として、ディスプレイデバイス１２０の裏面の中央に熱伝導シート１３０を配置した状態で、ディスプレイデバイス１２０の裏面の周囲を、両面粘着テープを使用して、直接補強プレート１４０と貼り合わせるようにしてもよい。また、粘着剤の代わりに接着剤を使用して固定させるようにしてもよい。
【００２２】
そして、図３に示すように、このように補強プレート１４０などが一体化されたディスプレイデバイス１２０の４つの端面から背面にかけた位置に、それぞれの端面ごとに別の基板カバー１５０〜１８０を取付ける。即ち、各基板カバー１５０，１６０，１７０，１８０は、それぞれ背面部１５１，１６１，１７１，１８１と、側面部１５２，１６２，１７２，１８２とに別れた形状としてあり、各側面部１５２，１６２，１７２，１８２を、ディスプレイデバイス１２０の端面に近接させ、各背面部１５１，１６１，１７１，１８１を補強プレート１４０の背面に重ねるようにして取付ける。
基板カバー１５０〜１８０の補強プレート１４０への取り付けについては、基板カバー１５０〜１８０と補強プレート１４０に設けたネジ孔を利用したネジ止めで固定する。固定された状態では、背面側に折り返されたフレキシブル基板１２３ａ〜１２３ｄやリジット基板１２４ａ〜１２４ｄが、基板カバー１５０〜１８０で覆われて隠される構成としてある。
【００２３】
４つの基板カバー１５０〜１８０の内で、ディスプレイデバイス１２０の背面の上下に位置する２つの基板カバー１７０，１８０については、ネジ止めで位置が完全に定まる構成としてある。これに対して、ディスプレイデバイス１２０の背面の左右に位置する２つの基板カバー１５０，１６０については、左右の方向に若干動かすことができる状態で、補強プレート１４０の背面に取付けられる構成としてある。即ち、基板カバー１５０，１６０については、取り付け用のネジ孔として、左右方向に数ミリ程度延長された長ネジ孔１５３，１６３としてあり、この長ネジ孔１５３，１６３に対応して数ミリ左右に動かすことができる形状としてある。但し、長ネジ孔１５３，１６３に嵌めたネジを締めて、補強プレート１４０に固定された状態では、基板カバー１５０，１６０は補強プレート１４０に対して位置が固定された状態となる。また、ディスプレイデバイス１２０をフロントカバー１１０に取付けていない状態では、基板カバー１５０，１６０は、ディスプレイデバイス１２０側に最も引っ込んだ位置として固定させておく。
２つの基板カバー１５０，１６０は、側面部１５２，１６２に、所定間隔で２箇所、スリット１５４，１６４を設けてある（スリット１５４は図６参照）。スリット１５４，１６４の配置間隔は、フロントカバー１１０側の取り付け金具１１４（図１など）の配置間隔と等しい間隔としてある。この基板カバー１５０，１６０の固定状態の詳細については後述する。
【００２４】
そして、図４に示すように、４つの基板カバー１５０〜１８０が取り付けられたディスプレイデバイス１２０の表面側に、フロントカバー１１０を重ねて、取り付ける。この図４に示すように重ねることで、フロントカバー１１０の側面１１３の内側の４箇所に配置された取り付け金具１１４が、基板カバー１５０の２つのスリット１５４及び基板カバー１６０の２つのスリット１６４と対向するような位置関係となるようにしてある。その上で、基板カバー１５０，１６０を長ネジ孔１５３，１６３に沿ってスライドさせて、取り付け金具１１４の先端の凸部１１４ａを、基板カバー１５０，１６０側の凹部であるスリット１５４，１６４に嵌めて、フロントカバー１１０を固定させる。
【００２５】
図５及び図６は、基板カバー１５０の構成例を示した図である。基板カバー１５０と左右対称の位置に配置される基板カバー１６０は、図５，図６に示した基板カバー１５０についても同様な形状である。
図５に示すように、基板カバー１５０の背面部１５１には、所定間隔で２つの長ネジ孔１５３が平行に配置してある。また図６に示すように、基板カバー１５０の側面部１５２には、所定間隔で２つのスリット１５４が配置してある。長ネジ孔１５３は、後述するネジ９９（図７，図８）が取り付けられるネジ孔である。スリット１５４は、フロントカバー１１０側の取り付け金具１１４の先端の凸部１１４ａが嵌る形状の凹部として機能する四角形状の貫通孔である。
【００２６】
図７及び図８は、このように構成される基板カバー１５０が取り付けられたディスプレイデバイス１２０に、フロントカバー１１０を固定させる状態を、一部を破断して拡大して示した図である。
図７は、基板カバー１５０を補強プレート１４０側にネジ止めするためのネジ９９は、長ネジ孔１５３に挿通させた上で、図示しない補強プレート１４０側にネジ止めして、固定させる。このとき、長ネジ孔１５３の長さ分だけスライド可能な基板カバー１５０は、ディスプレイデバイス１２０の端面から最も突出しない位置となるように固定させる。図７では図示されない基板カバー１６０についても同様に固定させる。但し、この２つの基板カバー１５０，１６０を止めるネジ９９は、フロントカバー１１０の取り付け作業時には、多少緩めた状態として、基板カバー１５０，１６０がスライドできる状態としておく。
図７に示すように、上下方向の基板カバー１７０，１８０についても、ネジ９９を使用して、補強プレート１４０側にネジ止めする。この基板カバー１７０，１８０については、ネジ止めで位置が定まり、スライドしない。
【００２７】
そして、図７に示すように、フロントカバー１１０の取り付け金具１１４の凸部１１４ａと、基板カバー１５０，１６０のスリット１５４，１６４とが対向する状態に配置した上で（図７では基板カバー１６０側は図示せず）、各基板カバー１５０，１６０が外側に突出するようにスライドさせる。このようにスライドさせることで、図８に示すように、取り付け金具１１４の凸部１１４ａが、スリット１５４，１６４に嵌るようになる。この状態で、各長ネジ孔１５３，１６３に通したネジ９９を締めて、基板カバー１５０，１６０の位置を固定させる。
【００２８】
このようにして基板カバー１５０，１６０をスライドさせて、フロントカバー１１０をディスプレイデバイス１２０側に取り付けた後に、基板カバー１５０〜１８０の背面側に、図１に示したリアカバー１９０をネジ止めなどで固定させる。なお、基板カバー１５０，１６０をスライドさせることで、各基板カバー１５０，１６０と上下の基板カバー１７０，１８０とが接する箇所で、図８に示すように、そのスライド量に対応した隙間が生じることになるが、リアカバー１９０の取り付けで、その隙間が隠れることになる。
【００２９】
以上説明したように、ディスプレイデバイス１２０側にフロントカバー１１０が固定されることで、ディスプレイデバイス１２０側にフロントカバー１１０を固定させる作業を非常に間単に行うことができ、組み立て作業の作業性を向上させることができる。即ち、固定作業時には、ディスプレイデバイス１２０の背面側のカバーである基板カバー１５０，１６０の長ネジ孔１５３，１６３を通して止めたネジ９９を緩めて、基板カバー１５０，１６０をスライドさせた後に、再度、ネジ９９を締めるだけでよく、非常に簡単に行える。
また、ディスプレイデバイス１２０の端面と対向した取り付け金具１１４の凸部１１４ａと、ディスプレイデバイス１２０の端面を覆う背面側のカバーである基板カバー１５０，１６０のスリット１５４，１６４とを嵌合させることで、固定させる構造としたので、フロントカバー１１０を固定させる固定機構が、ディスプレイデバイス１２０の側面方向にわずかな厚みで形成され、表示装置１００全体の厚さを非常に薄型に構成させることができ、ディスプレイデバイス１２０の薄型を生かした良好な筐体形状とすることができる。
【００３０】
なお、上述した実施の形態では、フロントカバー側に凸部を有する取り付け金具を設け、背面側のカバーである基板カバーに、その凸部と嵌合する凹部であるスリットを設ける構成としたが、基板カバー側に凸部を設け、フロントカバー側に凸部と嵌合する凹部を設けるようにしてもよい。
【００３１】
また、上述した実施の形態では、ディスプレイデバイス１２０の背面を覆う４枚の基板カバーの内の左右の基板カバー１５０，１６０と、フロントカバー１１０の左右の側面とで、嵌合して固定される固定機構を設ける構成としたが、例えば、上下の基板カバー１７０，１８０と、フロントカバー１１０の上下の側面に、同様の固定機構を設けるようにしてもよい。或いは、フロントカバー１１０の側面の左右と上下の４方向に凸部を有する取り付け金具を設け、４枚の基板カバー１５０，１６０，１７０，１８０全てにスリットを設け、その４枚の基板カバー１５０〜１８０のスライドで固定させる構成としてもよい。
【００３２】
また、上述した実施の形態では、固定機構を有する背面側のカバーとして、ディスプレイデバイス１２０の４つの端面から伸びた配線基板を覆う基板カバーとし、その基板カバーの上から更にリアカバーで覆う構成としたが、リアカバーそのものを複数に分割して、その分割されたリアカバーの内の一部又は全部を、上述した基板カバーと同様にスライドできる構成として、フロントカバーに固定させる固定機構を構成させるようにしてもよい。
【００３３】
また、上述した実施の形態では、ディスプレイデバイスが有機ＥＬディスプレイデバイスである場合について説明したが、ディスプレイデバイスとしてプラズマディスプレイや液晶ディスプレイなどの従来公知の様々な薄板状のディスプレイデバイスを用いることができることは勿論である。
【図面の簡単な説明】
【００３４】
【図１】本発明の一実施の形態の例を示す分解斜視図である。
【図２】図１例のディスプレイデバイスとその周辺の分解斜視図である。
【図３】図２例を組み立てた状態の部材にカバーが取り付けられる状態を示す分解斜視図である。
【図４】図３例のカバーが取り付けられた部材にフロントカバーが取り付けられる上体を示す分解斜視図である。
【図５】基板カバーの背面側の斜視図である。
【図６】基板カバーの表面側の斜視図である。
【図７】フロントカバーと基板カバーとの取り付け部の構成例を示した一部破断斜視図である。
【図８】図７例で基板カバーをスライドさせてフロントカバーに取り付けた状態を示す一部破断斜視図である。
【図９】表示装置として組み立てられた状態を示す斜視図である。
【符号の説明】
【００３５】
１００…表示装置、１１０…フロントカバー、１１１…窓部、１１３…側面部、１１４…取り付け金具、１１４ａ…凸部、１２０…ディスプレイデバイス、１２１…表面（表示面）、１２２…背面、１２３ａ，１２３ｂ，１２３ｃ，１２３ｄ…フレキシブル基板、１２４ａ，１２４ｂ，１２４ｃ，１２４ｄ…リジット基板、１３０…熱伝導シート、１４０…補強プレート、１４１…開口部、１５０…基板カバー、１５１…背面部、１５２…側面部、１５３…長ネジ孔、１５４…スリット、１６０…基板カバー、１６１…背面部、１６２…側面部、１６３…長ネジ孔、１６４…角孔部、１７０，１８０…基板カバー、１９０…リアカバー
【図１】
2008216347.tif 000003
【図２】
2008216347.tif 000004
【図３】
2008216347.tif 000005
【図４】
2008216347.tif 000006
【図５】
2008216347.tif 000007
【図６】
2008216347.tif 000008
【図７】
2008216347.tif 000009
【図８】
2008216347.tif 000010
【図９】
2008216347.tif 000011